(57)【特許請求の範囲】
【請求項１】
沈澱池の底面を走行可能な掻寄台車を、上記沈澱池内に渡されてこの掻寄台車に連結されたロープを巻き取り装置によって巻き取ることにより走行させて、上記沈澱池の底面に堆積したスラッジを掻き寄せて排出するスラッジ掻寄機の運転方法であって、上記ロープに張力を与えるロープ緊張装置を備え、上記掻寄台車を走行させるときにはこのロープ緊張装置によって上記ロープに張力を与えて保持する一方、上記掻寄台車を走行させないときには上記ロープに与えた張力を弛めることを特徴とするスラッジ掻寄機の運転方法。
【請求項２】
請求項１に記載のスラッジ掻寄機の運転方法により運転されるスラッジ掻寄機であって、上記ロープ緊張装置は、上記ロープが巻き掛けられた移動滑車を電動シリンダ、エアシリンダ、油圧シリンダ、および電動ボールネジのうち少なくとも１種よりなる移動手段によって移動させることにより、該ロープに緊張を与えることを特徴とするスラッジ掻寄機。
【請求項３】
請求項２に記載のスラッジ掻寄機であって、上記ロープは複数の滑車に巻き掛けられて上記沈澱池内に渡されており、これら複数の滑車のうち上記ロープが当該滑車の下側に巻き掛けられる滑車には、上記ロープを挟んで該滑車と対向する位置に、上記ロープを下方から支持可能なサポート部材が設けられていることを特徴とするスラッジ掻寄機。
【発明の詳細な説明】
【技術分野】
【０００１】
本発明は、浄水処理設備等における沈澱池に設けられてこの沈澱池の底面に堆積するスラッジを掻き寄せて排出するスラッジ掻寄機の運転方法、および該運転方法により運転されるスラッジ掻寄機に関するものである。
【背景技術】
【０００２】
このようなスラッジ掻寄機としては、スラッジを掻き寄せるスクレーパを備えた掻寄台車が沈澱池の底面に設けられたレールに沿って走行可能に配置され、この掻寄台車を、滑車を介して巻き取り装置により巻き取り、巻き解かれるロープに連結して走行させるようにしたものが知られている。そして、例えば特許文献１には、このロープに動滑車を係合させ、該動滑車を沈澱池の側壁に沿って立設した調整杆により上下動させて各ロープを緊張させるようにしたスラッジ掻寄機におけるロープの緊張装置が記載されており、これによってロープの張り具合を調整することにより、掻寄台車の脱輪等を防ぐことができる。
【先行技術文献】
【特許文献】
【０００３】
【特許文献１】実開平１−６１９０４号公報
【発明の概要】
【発明が解決しようとする課題】
【０００４】
ところが、この特許文献１に記載されたロープの緊張装置では、掻寄台車によってスラッジが掻き寄せられている間は勿論、スラッジの掻寄が行われていない間もロープには常に緊張装置によって張力が与えられることになる。しかるに、例えば浄水処理設備における沈澱池においてスラッジの掻寄が行われるのは１日のうちに１回ないし数回程度であって、殆どはスラッジの掻寄が行われない時間であり、そのようなスラッジ掻寄機において常にロープに張力が与えられていると、却ってロープの延びが促進されてロープ寿命を短縮してしまうことになる。
【０００５】
本発明は、このような背景の下になされたもので、掻寄台車によるスラッジの掻寄が行われている間はロープに適正な張力を与えつつ、ロープ寿命の延長を図ることが可能なスラッジ掻寄機の運転方法を提供するとともに、このような運転方法を行うのに好適なスラッジ掻寄機を提供することを目的としている。
【課題を解決するための手段】
【０００６】
上記課題を解決して、このような目的を達成するために、本発明のスラッジ掻寄機の運転方法は、沈澱池の底面を走行可能な掻寄台車を、上記沈澱池内に渡されてこの掻寄台車に連結されたロープを巻き取り装置によって巻き取ることにより走行させて、上記沈澱池の底面に堆積したスラッジを掻き寄せて排出するスラッジ掻寄機の運転方法であって、上記ロープに張力を与えるロープ緊張装置を備え、上記掻寄台車を走行させるときにはこのロープ緊張装置によって上記ロープに張力を与えて保持する一方、上記掻寄台車を走行させないときには上記ロープに与えた張力を弛めることを特徴とする。
【０００７】
従って、このようなスラッジ掻寄機の運転方法においては、掻寄台車を走行させてスラッジの掻寄を行うときには、このロープ緊張装置によってロープに張力を与えられた状態が保持されるため、ロープの延びが調整されてロープの滑車からの脱落などを防ぎ、安定かつ確実に掻寄台車を走行させることができる。そして、その一方で、掻寄台車を走行させないときには、このロープ緊張装置によりロープに与えられた張力を弛めることにより、ロープの延びが促進されてしまうのを防ぐことができ、ロープ寿命の延長を図ることができる。
【０００８】
また、本発明のスラッジ掻寄機は、このような運転方法により運転されるスラッジ掻寄機であって、上記ロープ緊張装置は、上記ロープが巻き掛けられた移動滑車を電動シリンダ、エアシリンダ、油圧シリンダ、および電動ボールネジのうち少なくとも１種よりなる移動手段によって移動させることにより、該ロープに緊張を与えることを特徴とする。
【０００９】
すなわち、これら電動シリンダ、エアシリンダ、油圧シリンダ、または電動ボールネジよりなる移動手段は、電動シリンダや電動ボールネジに供給される電力やエアシリンダ、油圧シリンダに供給される圧縮空気、作動油によって上記移動滑車の移動量を正確に制御することができ、掻寄台車を走行させてスラッジを掻き寄せるときには適正な張力をロープに与えることができるとともに、こうしてロープに張力が与えられた状態を比較的容易に維持することが可能である。また、スラッジの掻寄が行われないときにロープに与えた張力を弛めるときにも、ロープが弛められすぎて移動滑車や他の滑車から脱落してしまったりするのを防ぐことができる。
【００１０】
さらに、通常、このようなスラッジ掻寄機においては、上記ロープは複数の滑車に巻き掛けられて上記沈澱池内に渡されているが、これら複数の滑車のうち上記ロープが当該滑車の下側に巻き掛けられる滑車には、上記ロープを挟んで該滑車と対向する位置に、上記ロープを下方から支持可能なサポート部材を設けるのが望ましい。すなわち、沈澱池には絶えず汚水が流入しており、スラッジ掻寄機の運転に関わらず沈澱池内には処理水の流れが生じているので、このようなサポート部材を設けることにより、上述のように掻寄台車を走行させないときにロープに与えた張力を弛めた場合であっても、弛んだロープが処理水の流れによって滑車から脱落するのを防止することができる。
【発明の効果】
【００１１】
以上説明したように、本発明によれば、スラッジの掻寄時には適正な張力をロープに与えることにより掻寄台車を安定して走行させて円滑なスラッジ掻寄を行うことができる一方、それ以外の時にはロープに不要な張力が作用するのを防いでロープの延びを抑制し、ロープ寿命の延長を図ってロープの交換やメンテナンス等に要する時間や労力、コストの削減を促すことが可能となる。
【図面の簡単な説明】
【００１２】
【図１】本発明の第１の実施形態のスラッジ掻寄機を備えた沈澱池を示す概略図である。
【図２】本発明の第２の実施形態のスラッジ掻寄機を備えた沈澱池を示す概略図である。
【図３】本発明の第３の実施形態のスラッジ掻寄機を備えた沈澱池を示す概略図である。
【図４】本発明の第４の実施形態のスラッジ掻寄機を備えた沈澱池を示す概略図である。
【図５】本発明のスラッジ掻寄機の運転方法の一実施形態を説明するスラッジ掻寄時のフローチャートである。
【図６】本発明のスラッジ掻寄機の運転方法の一実施形態を説明するスラッジ掻寄終了時のフローチャートである。
【発明を実施するための形態】
【００１３】
本発明に係る実施の形態を以下の図面を参照しつつ説明する。なお、以下の好ましい実施形態の説明は、本質的な例示に過ぎず、本発明、その適用あるいはその用途を制限することを意図するものではない。図１〜図４は、本発明のそれぞれ第１〜第４の実施形態のスラッジ掻寄機を備えた沈澱池を示す概略図である。なお、これら図１〜図４に示す第１〜第４の実施形態において、本発明のスラッジ掻寄機が設置される沈澱池Ａは、図示された底面Ｂ、側壁Ｃ、およびこの側壁Ｃの頂部に連なり、該沈澱池Ａに保持された処理水の水面上に位置する地上部Ｄの他に、図示しない側壁Ｃの反対側に位置して底面Ｂから屹立する対岸の側壁と、これら側壁Ｃと対岸の側壁との間にあって底面Ｂから屹立する一対の側壁とを有して槽状に形成されるとともに、底面Ｂの側壁Ｃ側または上記対岸の側壁側には掻き寄せたスラッジを排出するための排泥ピットを備えている。また、側壁Ｃおよび対岸の側壁、若しくは側壁Ｃと隣り合う図示しない側壁のうち少なくとも一対に対向する側壁には図示しない原水流入口、および処理水流出口が設けられている。
【００１４】
また、底面Ｂには、図示を略するレールが上記側壁Ｃと対岸の側壁との間に敷設されている。本発明の各実施形態のスラッジ掻寄機における掻寄台車１は、図示されない車輪がレール上を転動することにより、このレールに沿って側壁Ｃと対岸の側壁との間を往復走行可能とされている。なお、こうして往復走行する掻寄台車１の位置は、少なくとも側壁Ｃ側と対岸の側壁側とに設けられたリミットスイッチ等によって確認可能とされ、これら側壁Ｃ側と対岸の側壁側との所定の位置で掻寄台車１が停止可能とされている。
【００１５】
ここで、これら各実施形態では、２台の掻寄台車１が平行に底面Ｂ上を往復走行可能に配置されている。また、各掻寄台車１にはスクレーパ１Ａが備えられていて、掻寄台車１が上記排泥ピット側に向かうときにはこのスクレーパ１Ａが降下して底面Ｂに堆積したスラッジを掻き寄せるとともに、掻寄台車１が排泥ピットから離れるときにはスクレーパ１Ａが跳ね上げられてスラッジを巻き込まないようにされている。
【００１６】
これらの掻寄台車１には、沈澱池Ａの地上部Ｄ、側壁Ｃ、および対岸の側壁に設置された複数の滑車２に巻き掛けられて延設されたロープ（ワイヤロープ）３が連結されており、地上部Ｄに設けられた巻き取り装置４によってこのロープ３を巻き取り、巻き解くことにより、掻寄台車１が走行させられる。また、本発明の各実施形態では、ロープ３は、その両端が巻き取り装置４の単一の巻き取りドラム４Ａに取り付けられており、この巻き取りドラム４Ａをモータ等の駆動手段によって回転駆動させることにより、巻き取りと巻き解きによる繰り出しが行われる。なお、本発明におけるロープは、金属製のワイヤロープのほかに、化学繊維、天然繊維からなるロープを採用することができる。
【００１７】
具体的に、各実施形態におけるロープ３は、その一端から他端に向けて、地上部Ｄから側壁Ｃに沿って沈澱池Ａ内に没入して底面Ｂに沿って対岸の側壁に延びつつ一方の掻寄台車１と連結され、さらに対岸の側壁に沿ってこの一方の掻寄台車１とは反対側に延びた後、対岸の側壁から底面Ｂに沿って側壁Ｃ側に延びつつ他方の掻寄台車１と連結され、側壁Ｃに沿って地上部Ｄに出て巻き取りドラム４Ａに戻るような延設経路で巻き回されている。従って、巻き取りドラム４Ａを回転させることによってロープ３を一端側で巻き取るとともに他端側で巻き解いて繰り出す操作を交互に行うことにより、１本のロープ３で両方の掻寄台車１が同時に互いに反対向きに走行させられる。
【００１８】
ここで、複数の滑車２には、ロープ３の上方に位置してロープ３が滑車２の下側に巻き掛けられる滑車２Ａと、ロープ３の下方に位置してロープ３が滑車２の上側に巻き掛けられる滑車２Ｂとの２種類があり、このうちロープ３が下側に巻き掛けられる滑車２Ａには、ロープ３を挟んでこの滑車２Ａと対向する位置に、ロープ３を下方から支持可能なサポート部材６が設けられている。このサポート部材６としては、例えば図１および図４に示すように滑車２Ａの回転軸と平行な回転軸回りに回転自在とされて滑車２Ａの下方に周面を近接して対向配置させられた滑車や、図２に示すように中心線が滑車２Ａの回転軸と平行に延びるようにされて滑車２Ａの下方に近接配置されたパイプ、あるいは図３に示すようにロープ３を収容可能な断面Ｕ字状の溝を有して、この溝をロープ３に沿わせるように滑車２Ａの下方に近接配置された鋼材等からなる部材などを用いることができる。
【００１９】
そして、こうして巻き回されたロープ３の延設経路にはロープ緊張装置５が備えられており、本発明のスラッジ掻寄機の運転方法の一実施形態では、上述のように掻寄台車１を走行させるときには、このロープ緊張装置５によってロープ３に張力を与えて保持する一方、掻寄台車１を走行させないときには、こうしてロープ緊張装置５によってロープ３に与えた張力を弛めるようにしている。
【００２０】
上記各実施形態のスラッジ掻寄機におけるロープ緊張装置５は、ロープ３が巻き掛けられた滑車２のうち隣接する一対の滑車２の間に配置されてロープ３が上側に巻き掛けられる移動滑車５Ａと、この移動滑車５Ａを上方に引き上げて移動させる移動手段（テークアップ装置）５Ｂとを備えており、掻寄台車１を走行させるときにはこの移動手段５Ｂによって上記移動滑車５Ａを移動させて引っ張り上げることによりロープ３に張力を作用させて緊張させる。この移動手段５Ｂとしては、電動シリンダ、エアシリンダ、油圧シリンダ、および電動ボールネジのうち少なくとも１種より選ばれるのが望ましい。
【００２１】
ここで、図１に示す第１の実施形態では、巻き取り装置４が設置された側壁Ｃ側の地上部Ｄにロープ緊張装置５が１つだけ配設されており、上述のように巻き取りドラム４Ａに両端が取り付けられたロープ３のうちいずれか一端から延びる部分を緊張させてロープ３全体に張力が作用するようにされている。また、図２に示す第２の実施形態では、地上部Ｄに２つのロープ緊張装置５が巻き取りドラム４Ａの両側に配設されていて、ロープ３の両端から延びる部分の双方を緊張させて張力を作用させるようにしている。
【００２２】
一方、図３に示す第３の実施形態においては、側壁Ｃとは反対の図示されない対岸の側壁側にロープ緊張装置５が１つだけ配設されており、この対岸の側壁に沿って一方の掻寄台車１側から他方の掻寄台車１側に延びるロープ３の略中央部に移動滑車５Ａが巻き掛けられて引き上げられることにより、ロープ３全体に張力が与えられる。さらに、図４に示す第４の実施形態では、第２の実施形態と同様に地上部Ｄにおける巻き取りドラム４Ａの両側と、第３の実施形態と同様に対岸の側壁側におけるロープ３の中央部との３箇所にロープ緊張装置５が配設されている。
【００２３】
なお、これら第１〜第４の実施形態におけるロープ緊張装置５においては、上記移動手段５Ｂによる移動滑車５Ａの移動のストロークエンドにリミットスイッチ等の検出手段が備えられており、この検出手段によって移動滑車５Ａの移動が所定のストロークで停止するようにされている。ただし、移動手段５Ｂが電動シリンダや電動ボールネジである場合には、その電流値を検出するようにしてもよい。
【００２４】
次に、このように構成された第１〜第４の実施形態のスラッジ掻寄機を運転する際の本発明のスラッジ掻寄機の運転方法の一実施形態について、図５および図６に示すフローチャートに基づき説明する。運転にあたりロープ緊張装置５の駆動、巻き取りドラム４Ａの回転、および掻寄台車１の位置の制御は、図示しない制御手段を用いて行う。図５に示すようにスラッジの掻き寄せを行うときには、タイマー等により定期的に、または沈澱池Ａの底面Ｂに堆積したスラッジ量を検出するなどして自動的に、あるいは手動により、制御手段からロープ緊張装置５に対して運転指令が発せられる。このとき、ロープ緊張装置５は、移動滑車５Ａがそのストロークの下端にあってロープ３を緊張していない状態にあるので、この運転指令によりロープ緊張装置５がロープ３を緊張する方向に運転されて、移動手段５Ｂにより移動滑車５Ａがロープ３ごと引き上げられる。
【００２５】
そして、この移動滑車５Ａがそのストロークの上端に達してロープ３に緊張側の設定張力が与えられると、ロープ緊張装置５が停止してロープ３にこの設定張力が作用したまま保持される。ロープ緊張装置５の停止を確認後、制御手段から巻き取り装置４に対し運転指令が発せられる。巻き取り装置４が運転させられて巻き取りドラム４Ａが回転することにより、ロープ３が所定の張りをもったまま巻き取り、巻き解かれて掻寄台車１が走行し、排泥ピットに向かう掻寄台車１のスクレーパ１Ａによってスラッジが掻き寄せられて排出させられる。なお、上記各実施形態では巻き取りドラム４Ａが１方向に回転することにより、上述のように２台の掻寄台車１が同時に互いに反対向きに走行させられるので、少なくとも１回ずつ巻き取りドラム４Ａを正逆方向に回転させることにより、沈澱池Ａの底面Ｂに堆積したスラッジが排泥される。
【００２６】
こうして巻き取り装置４が運転させられることによりスラッジが掻き寄せられて排出される。スラッジの掻き寄せ終了の判断は、掻寄台車１の往復走行回数から行えばよい。そして掻寄台車１の往復走行回数に応じて自動的に、図６に示すように巻き取り装置４の停止指令が制御手段より発せられて巻き取り装置４が停止させられる。このとき、往復走行回数を壁面に設けたリミットスイッチで監視することができる。巻き取り装置４の停止後、ロープ緊張装置５に対し停止指令が発せられる。停止指令によりロープ緊張装置５は緊張していたロープ３を弛緩する方向に運転させられて、移動手段５Ｂにより移動滑車５Ａがロープ３ごと引き下げられ、そのストロークの下端に達してロープ３に弛緩側の設定張力が与えられる。なお、掻寄台車１を停止するタイミングは、スラッジ量を検出することなどから行っても良い。また、任意のタイミングで手動で行うことも可能である。
【００２７】
従って、このようなスラッジ掻寄機の運転方法によれば、こうしてスラッジの掻き寄せが終了して掻寄台車１が走行されない状態にあっては、ロープ３に与えられた緊張が解かれて張力が弛められるので、この状態で長時間そのままとされていても、ロープ３の延びが促進されてしまうのを抑えることができ、このような延びによってロープ３の寿命が短縮されるのを防ぐことができる。このため、ロープ３の交換やメンテナンスの頻度も低減して、そのための時間や労力、コストの削減を図ることができる。
【００２８】
その一方で、掻寄台車１を走行させてスラッジを掻き寄せる際には、ロープ緊張装置５によってロープ３に所定の緊張側設定張力が与えられ、この状態が保持される。このため、ロープ３に必要以上の弛みが生じることが無いように延びが調整されて、走行中の滑車２からのロープ３の脱落などを防ぐことができ、安定して確実に掻寄台車１を走行させて円滑にスラッジを掻き寄せ、排出することができる。
【００２９】
なお、こうして掻寄台車１を走行させてスラッジを掻き寄せる際のロープ３に与えられる張力は、このロープ３の張力そのものを直接測定することは困難であるので、例えば試運転中にロープ３のたわみ量を測定しておいて、これに基づいてロープ緊張装置５の移動手段５Ｂによる移動滑車５Ａのストロークの上端位置を設定することにより、必要な張力が与えられるようにすればよい。
【００３０】
また、ロープ緊張装置５によりロープ３に張力を与える際に、移動手段５Ｂによる移動滑車５Ａの移動速度は、巻き取り装置４によるロープ３の繰り出し、巻き取り速度と同程度の例えば０．２ｍ／ｍｉｎ〜１．０ｍ／ｍｉｎの範囲とされるのが望ましい。ロープ３に張力を与える際に移動手段５Ｂによって移動滑車５Ａを急速に移動させると、ロープ３が急激に緊張させられて却って延びを生じるおそれが生じる。一方、０．２ｍ／ｍｉｎより遅い場合は、掻寄台車１の運転開始までに時間を要することになる。これは、掻寄終了後にロープ３の張力を弛緩する際の移動速度についても同様である。
【００３１】
さらに、こうしてスラッジの掻寄終了後にロープ３を弛めるときの張力は、ロープ３を弛めすぎると滑車２からロープ３が脱落してしまうおそれがあるほか、次にスラッジ掻寄を再開するときにロープ３の巻き取りドラム４Ａへの巻き取りが乱巻きになったり、ロープ３がワイヤロープである場合にワイヤ自体が撚り戻ってしまうおそれもある。従って、スラッジの掻寄終了後に掻寄台車１を走行させないときのロープ３の張力は、スラッジ掻寄時の張力に対して若干小さい程度でよい。
【００３２】
また、上記各実施形態のスラッジ掻寄機では、ロープ３が下側に巻き掛けられる滑車２Ａのロープ３を挟んで対向する位置に、このロープ３を下方から支持可能なサポート部材６が設けられており、上述のように掻寄台車１の運転停止時に弛んだロープ３が沈澱池Ａ内の処理水の流れなどによってこの滑車２Ａから脱落することを防止することができる。すなわち、サポート部材６が図１および図４に示したような滑車であれば、弛んだロープ３はこの滑車の周面の溝にはまり込んで支持され、またサポート部材６が図２に示すようなパイプであれば、弛んだロープ３はこのパイプの周面に垂れ下がって支持され、さらにサポート部材６が図３に示すようなＵ字溝付きの部材であれば、弛んだロープ３はこのＵ字溝内に収容されて支持されるので、掻寄台車１の運転を再開するときにロープ緊張装置５によってロープ３に張力を与えると、こうして支持されたロープ３を確実に滑車２Ａに巻き掛けることが可能となる。なお、サポート部材６は、ロープ３が下側に巻き掛けられるすべての滑車２Ａに備えられていてもよく、また一部の滑車２Ａだけに備えられていてもよい。
【００３３】
一方、上記各実施形態のスラッジ掻寄機においては、上記運転方法により運転させられるスラッジ掻寄機としてロープ緊張装置５の移動手段５Ｂに電動シリンダ、エアシリンダ、油圧シリンダ、および電動ボールネジのうち１種が用いられており、これらの移動手段５Ｂは、電動シリンダや電動ボールネジの場合は供給される電力により、またエアシリンダや油圧シリンダの場合は供給される圧縮空気や作動油により、移動滑車５Ａの移動量を正確に制御することができる。
【００３４】
このため、スラッジ掻寄時には上記ストロークの上端に移動滑車５Ａを正確に位置させてロープ３に適正な張力を与えることができる。また、スラッジ掻寄終了時にロープ３を弛めるときでも、移動滑車５Ａを正確にそのストローク下端に位置させて、上述のようにロープ３が弛められすぎるのを防ぐことができる。
【００３５】
さらに、移動手段５Ｂが電動シリンダである場合には、ブレーキ付きのものを採用することにより、スラッジ掻寄時に移動滑車５Ａがストローク上端にあるときでもロープ３に張力が与えられた状態を保持するのに電力を要することが無く、経済的である。これは、移動手段が電動ボールネジの場合でも同様であり、すなわち電動ボールネジではロープ３に張力を与える際の荷重をネジ部で受けるため、張力保持のための電力が必要ない。
【００３６】
また、移動手段５Ｂがエアシリンダや油圧シリンダの場合は、ロープ３に張力が付与された状態を保持するには、常に圧縮空気や作動油を供給する必要があるものの、移動滑車５Ａを移動する際に供給した圧縮空気量や作動油量を供給する必要はなく、空気や作動油の消費量は少なくて済む。また、特にエアシリンダの場合は、スラッジ掻寄機の周辺に圧縮空気源があれば低コストで移動滑車５Ａを移動させることが可能であり、さらにニードル弁を用いたりすることにより、移動滑車５Ａの移動速度も比較的容易かつ安価に調整することが可能である。
【００３７】
なお、上記第１、第２の実施形態のスラッジ掻寄機においては、このような移動手段５Ｂを備えたロープ緊張装置５が、巻き取り装置４と同じ沈澱池Ａの側壁Ｃ側の地上部Ｄに配置されており、特に移動手段５Ｂが電動シリンダや電動ボールネジである場合に、巻き取り装置４の巻き取りドラム４Ａを回転させるモータ等の駆動手段と電源を共通化させたり、配線ケーブルを集約したりするのが容易である。また、特に第２の実施形態では、２つのロープ緊張装置５が巻き取りドラム４Ａの両側に配設されて、この巻き取りドラム４Ａに接続されたロープ３の両端から延びる部分の双方を緊張させて均等に張力を作用させることができ、これらの部分に連結される２台の掻寄台車１をより安定して走行させることができる。
【００３８】
これらに対して、上記側壁Ｃとは反対の対岸の側壁にロープ緊張装置５が１つだけ設けられた第３の実施形態では、沈澱池Ａ内に巻き回されるロープ３の延設経路の略中央にこのロープ緊張装置５が位置するため、特に１本のロープ３で複数台の掻寄台車１を走行させる場合に、少ないロープ緊張装置５でもロープ３全体に均等に張力を作用させて、やはり安定した掻寄台車１の走行を図ることができる。勿論、この対岸の側壁側と、上記側壁Ｃ側とにロープ緊張装置５を備えた第４の実施形態では、さらに一層安定して掻寄台車１を走行させることができる。
【００３９】
また、第１、第２、第４の実施形態のようにロープ緊張装置５が地上部Ｄにある場合など、沈澱池Ａに保持される処理水の水面よりも移動滑車５Ａが上方にあるときには、移動滑車５Ａの位置を目視できるため、ロープ３のたわみ量などの状態を容易に確認することができる。ただし、第３、第４の実施形態のようにロープ緊張装置５が対岸の側壁側にある場合において、その移動滑車５Ａが処理水の水面下に位置していてもよい。さらに、この移動滑車５Ａを移動させる移動手段５Ｂについても、防水仕様にするなどの処置を施せば処理水の水面下に配置されていてもよいが、水面上に配置されていれば防水仕様にしたりする必要もなく、また点検等も容易である。
【００４０】
なお、上記各実施形態のロープ緊張装置５では、隣接する一対の滑車２間に渡されたロープ３を移動滑車５Ａの上側に巻き掛けて、スラッジの掻き寄せ時にはこの移動滑車５Ａを移動手段５Ｂによって上方に引き上げて移動させることにより、ロープ３に張力を与えるようにしているが、これとは逆に、一対の滑車２の上部に巻き掛けられて渡されたロープ３に上方から移動滑車５Ａを押し当てておいて、この移動滑車５Ｂを移動手段５Ｂによって下方に引き下げることにより、ロープ３に張力を与えるようにしてもよい。
【００４１】
また、例えば隣接する一対の滑車２が鉛直方向に延びる回転軸回りに回転自在とされていて、これらの滑車２の回転軸を結ぶ平面に対する一方の側にロープ３が巻き掛けられている部分がある場合には、やはり鉛直方向に延びる回転軸回りに回転自在な移動滑車５Ａをこの一方の側からロープ３に押し当てておいて、スラッジ掻寄時には移動手段５Ｂによって移動滑車５Ａを上記平面に対する他方の側に水平に移動させることにより、ロープ３に張力を与えるようにしてもよい。
【符号の説明】
【００４２】
１  掻寄台車
２（２Ａ、２Ｂ）  滑車
３  ロープ
４  巻き取り装置
５  ロープ緊張装置
５Ａ  移動滑車
５Ｂ  移動手段
６  サポート部材
Ａ  沈澱池
Ｂ  沈澱池Ａの底面
Ｃ  沈澱池Ａの側壁
Ｄ  地上部
【図１】
0005450482.tif 000002
【図２】
0005450482.tif 000003
【図３】
0005450482.tif 000004
【図４】
0005450482.tif 000005
【図５】
0005450482.tif 000006
【図６】
0005450482.tif 000007